(57)【要約】【課題】  耐熱耐圧性能に優れる薄型電池の提供。【解決手段】  リチウム一次電池１Ａは、セパレータ９、正極活物質層４および負極活物質層５を活物質充填室１０に収容した電池本体部１４と、電池本体部１４の周囲を封じて活物質充填室１０の気密を保持する枠状のシール部１１とから構成されている。厚さ方向に平行な断面において、シール部１１が電池本体部１４よりも厚肉である。【選択図】  図２
2006269288.tif 000002
【特許請求の範囲】
【請求項１】
セパレータ（９，３９）と、
前記セパレータ（９，３９）の一方の面側に配置された正極活物質層（４，３４）と、
前記セパレータ（９，３９）の他方の面側に配置された負極活物質層（５，３５）と、
前記セパレータ（９，３９）、前記正極活物質層（４，３４）および前記負極活物質層（５，３５）を活物質充填室（１０，２０，３０）に収容した電池本体部（１４，２４，４４）と、
前記電池本体部（１４，２４，４４）の周囲を封じて前記活物質充填室（１０，２０，３０）の気密を保持する枠状のシール部（１１，１５，２１，３１）とを備え、
厚さ方向に平行な断面において、前記シール部（１１，１５，２１，３１）の厚さが前記電池本体部（１４，２４，４４）の厚さ以上に調整されていることを特徴とする薄型電池（１Ａ，１Ｂ，１Ｃ，１Ｄ）。
【請求項２】
前記電池本体部（１４，２４，４４）の２つの主表面（６ｐ，２６ｐ，４２ｐ，７ｐ，２７ｐ，４１ｐ）のうち少なくとも一方が凹面であり、かつ前記シール部（１１，１５，２１，３１）の厚さが前記電池本体部（１４，２４，４４）の厚さよりも大である請求項１記載の薄型電池（１Ａ，１Ｂ，１Ｃ，１Ｄ）。
【請求項３】
セパレータ（９，３９）と、
前記セパレータ（９，３９）の一方の面側に配置された正極活物質層（４，３４）と、
前記セパレータ（９，３９）の他方の面側に配置された負極活物質層（５，３５）と、
前記セパレータ（９，３９）、前記正極活物質層（４，３４）および前記負極活物質層（５，３５）を活物質充填室（１０，２０，３０）に収容した電池本体部（１４，２４，４４）と、
前記電池本体部（１４，２４，４４）の周囲を封じて前記活物質充填室（１０，２０，３０）の気密を保持する枠状のシール部（１１，１５，２１，３１）とを備え、
厚さ方向に平行な断面において、前記電池本体部（１４，２４，４４）のところが凹となるように、それら電池本体部（１４，２４，４４）と前記シール部（１１，１５，２１，３１）とが構成されていることを特徴とする薄型電池（１Ａ，１Ｂ，１Ｃ，１Ｄ）。
【請求項４】
前記シール部（１１，１５，２１，３１）を構成する熱融着性を有する樹脂の融点が１１０℃以上２００℃以下である請求項１ないし３のいずれか１項に記載の薄型電池（１Ａ，１Ｂ，１Ｃ，１Ｄ）。
【請求項５】
前記シール部（１５）は、前記熱融着性を有する樹脂からなるシール材としての枠部材（２，３）と、該枠部材（２，３）よりも高い融点を有する材料からなり当該シール部（１５）の厚さを嵩上げするスペーサ（１６）とを含む請求項１ないし４のいずれか１項に記載の薄型電池（１Ｂ）。
【請求項６】
前記セパレータ（９）、前記正極活物質層（４）および前記負極活物質層（５）を包囲する樹脂製の枠部材（２２，２３）と、
前記セパレータ（９）との間に前記正極活物質層（４）を保持する正極集電体（２６）と、
前記セパレータ（９）との間に前記負極活物質層（５）を保持する負極集電体（２７）とを備え、
前記正極集電体（２６）と前記負極集電体（２７）との間に前記活物質充填室（２０）が形成され、その活物質充填室（２０）に前記セパレータ（９）、前記正極活物質層（４）および前記負極活物質層（５）を収容することによって前記正極集電体（２６）と前記負極集電体（２７）とを外装材とした前記電池本体部（２４）が構成される一方、
前記枠部材（２２，２３）は互いに接着された正極側枠部材（２２）と負極側枠部材（２３）とからなり、
前記正極側枠部材（２２）に前記正極集電体（２６）の外周部分が固定され、前記負極側枠部材（２３）に前記負極集電体（２７）の外周部分が固定されることにより、当該薄型電池（１Ｃ）の厚さ方向において前記枠部材（２２，２３）の上下に前記正極集電体（２６）と前記負極集電体（２７）が位置する前記シール部（２１）が構成されるとともに、
前記正極側枠部材（２２）の厚さと前記負極側枠部材（２３）の厚さとが相違している請求項１ないし４のいずれか１項に記載の薄型電池（１Ｃ）。
【請求項７】
前記負極活物質層（５）がリチウムまたはリチウム合金からなるリチウム一次電池として構成され、
前記セパレータ（９）の外周部を前記正極側枠部材（２２）または前記負極側枠部材（２３）に固定した構造を有し、
前記正極側枠部材（２２）の厚さが前記負極側枠部材（２３）の厚さよりも大である請求項６記載の薄型電池（１Ｃ）。
【発明の詳細な説明】
【技術分野】
【０００１】
本発明は、薄型電池に関する。
【背景技術】
【０００２】
昨今、磁気カードに代わる簡易記憶媒体として、マイクロコンピュータを内蔵したＩＣカードの需要が拡大しつつある。ＩＣカードに採用されている電力供給方式で主流なのは電磁誘導方式であるが、内部電源を持たず電磁誘導による起電力のみで機能するＩＣカードは、記憶している情報を端末装置でしか知ることができない不便さがある。そこで、こうしたＩＣカードにも内部電源を設ける試みがある。ＩＣカードに組み込む電池には、特許文献１，２に記載されているような、薄くて柔軟性に富む電池が適している。
【特許文献１】特許第２９３５４２７号公報
【特許文献２】特開平８−０５５６２７号公報
【発明の開示】
【発明が解決しようとする課題】
【０００３】
一般にＩＣカードは、図１０に示すごとく、ＩＣや電池７１等の電気部品を実装したインナシート７３にコアシート７２を重ね、さらに上下からオーバシート７４，７５で挟み、これらのシート群を一体に熱圧着することにより製造される。この熱圧着の工程において、電池７１に熱と圧力が加わってシール破壊が起こるという問題がある。コアシート７２には、電池７１を嵌め込むためのキャビティ７２ａをくり貫いているが、プレス機の圧力が電池７１におよぶことを防ぐには不十分である。また、ＩＣカードには表面の平坦性が要求されるので、電池７１のところを避けてプレスすることが技術的に難しいという事情もある。
【０００４】
上記の問題に鑑み、本発明は耐熱耐圧性能に優れる薄型電池を提供することを課題とする。
【課題を解決するための手段および発明の効果】
【０００５】
上記課題を解決するために本発明の薄型電池は、セパレータと、セパレータの一方の面側に配置された正極活物質層と、セパレータの他方の面側に配置された負極活物質層と、セパレータ、正極活物質層および負極活物質層を活物質充填室に収容した電池本体部と、電池本体部の周囲を封じて活物質充填室の気密を保持する枠状のシール部とを備え、厚さ方向に平行な断面において、シール部の厚さが電池本体部の厚さ以上に調整されていることを主要な特徴とする。
【０００６】
また、別の観点から見た本発明は、電池本体部のところが凹となるように、それら電池本体部とシール部とが構成されていることを特徴とする。
【０００７】
上記本発明の薄型電池によれば、ＩＣカード製造時の熱圧着工程において、プレス機からの圧力をシール部で受け止めることができる。電池本体部にかかる圧力が軽減するので、活物質充填室の内圧が過度に上がることもない。すなわち、耐圧性が改善されて、シール破壊の起こり難い薄型電池を実現できる。
【０００８】
より好適には、電池本体部の２つの主表面のうち少なくとも一方を凹面とし、かつシール部の厚さを電池本体部の厚さよりも大とすることである。このようにすれば、電池本体部に圧力が集中することを確実に抑制できる。ただし、電池本体部の厚さとシール部の厚さとが等しい、平坦な表面を持ったリチウム一次電池も好適であることに違いはない。
【０００９】
また、シール部を構成する熱融着性を有する樹脂の融点が１１０℃以上２００℃以下であることが望ましい。このような構成によれば、ＩＣカード製造時の加熱によってシール部が軟化および変形しにくくなるので、プレス機からの圧力をシール部で確実に受け止めることができる。
【００１０】
一つの好適な態様において、上記シール部は、熱融着性を有する樹脂からなるシール材としての枠部材と、該枠部材よりも高い融点を有する材料からなり当該シール部の厚さを嵩上げするスペーサとを含むものとして構成することができる。このようにしてシール部の厚さを大きくすれば、電池本体部の主表面を凹面とすることができる。
【００１１】
一つの好適な態様において、本発明にかかる薄型電池は、セパレータ、正極活物質層および負極活物質層を包囲する樹脂製の枠部材と、セパレータとの間に正極活物質層を保持する正極集電体と、セパレータとの間に負極活物質層を保持する負極集電体とをさらに備える。正極集電体と負極集電体との間に活物質充填室が形成され、その活物質充填室にセパレータ、正極活物質層および負極活物質層を収容することによって正極集電体と負極集電体とを外装材とした電池本体部が構成される。また、枠部材は互いに接着された正極側枠部材と負極側枠部材とからなる。正極側枠部材に正極集電体の外周部分が固定され、負極側枠部材に負極集電体の外周部分が固定されることにより、枠部材の上下に正極集電体と負極集電体を配置したシール部が構成される。そして、正極側枠部材の厚さと負極側枠部材の厚さとが相違している。
【００１２】
シール部の厚さを電池本体部の厚さよりも大きくするためには、シール部を構成する枠部材の厚さを、セパレータ、正極活物質層および負極活物質層の三者の合計厚さよりも大きくする構成が考えられる。上記本発明においては、枠部材を全体的に厚くするのではなく、正極側枠部材と負極側枠部材との一方を積極的に厚くする点に特徴がある。このように正極側枠部材と負極側枠部材との一方を薄く他方を厚くすることにより、両者の境界近傍に熱溶着治具（または超音波溶着治具）のエネルギーが伝達しやすくなる。そのため、両者を接着してシール部を形成する際、両者の境界近傍を素早く溶融・固化させることができ、ひいては正極側枠部材および負極側枠部材が大きく潰れてしまうことを抑制することができる。したがって、シール部の厚さを電池本体部の厚さよりも大きくするための構成として、上記本発明は有効である。
【発明を実施するための最良の形態】
【００１３】
以下、添付の図面を参照しつつ本発明の実施形態について説明する。
図１に示すのは、本発明にかかる薄型電池の一実施形態であるリチウム一次電池の斜視図である。図２は図１中のＡ−Ａ断面図である。リチウム一次電池１Ａは全体として方形かつ板状であり、枠部材２，３、正極活物質層４、正極集電体６、負極活物質層５、負極集電体７およびセパレータ９を備える。正極集電体６および負極集電体７は、それぞれ、枠部材２，３の開口を塞ぐように該枠部材２，３に固定されてリチウム一次電池１Ａの外装材を兼ねている。また、正極集電体６および負極集電体７は、それぞれ、電力取出部６ｔ，７ｔを有する。電力取出部６ｔ，７ｔは、リチウム一次電池１Ａの厚さ方向に直交する面内において枠部材２，３よりも外側に延び出ている。
【００１４】
図２に示すごとく、枠部材２，３は、正極枠部材２と負極側枠部材３とからなる。正極側枠部材２および負極側枠部材３は向かい合う面で相互に接着されている。枠部材２，３、正極集電体６および負極集電体７によって活物質充填室１０が形成され、その活物質充填室１０にセパレータ９、正極活物質層４および負極活物質層５を収容することにより電池本体部１４が形成されている。また、セパレータ９とは反対側に位置するように、正極集電体６が正極側枠部材２に、負極集電体７が負極側枠部材３にそれぞれ接着されている。これにより、活物質充填室１０の気密を保持するシール部１１が形成されている。セパレータ９の周縁部９ｋを負極側枠部材３に固定することにより、活物質充填室１０を正極活物質層４が配置された正極側と、負極活物質層５が配置された負極側とに分断している。活物質充填室１０内において、正極集電体６とセパレータ９との間に正極活物質層４が保持され、負極集電体７とセパレータ９との間に負極活物質層５が保持されている。
【００１５】
電池本体部１４は、活物質充填室１０内が大気圧よりも減圧された雰囲気であるとともに、正極側の主表面６ｐが凹面になっている。これに対しシール部１１の２つの主表面６ｇ，７ｇは略平坦である。電池本体部１４の負極側の主表面７ｐについても略平坦である。すなわち、電池本体部１４のところが凹となるように、それら電池本体部１４とシール部１１が構成されている。具体的には、図３の模式図に示すごとく、リチウム一次電池１Ａは厚さ方向に平行な断面において、シール部１１の厚さをＤ１、電池本体部１４の厚さをＤ２としたとき、Ｄ１≧Ｄ２の関係を満足する（好ましくはＤ１＞Ｄ２）。このような構造によれば、図４に示すごとくＩＣカードの構成部品であるシート群７７，７８の間にリチウム一次電池１Ａを収容し、プレス機８０，８１で加圧したときに、シール部１１が支えになるので電池本体部１４に圧力が集中することを抑制することができる。したがって、シール破壊が起こり難い。
【００１６】
次に、個々の部品について説明する。
枠部材２，３は、窓枠のような形状を持つ薄い樹脂シートであって、シール材としての機能を持たせるために熱融着性を有する熱可塑性樹脂で構成している。ＩＣカード等のカード型簡易記憶媒体の素材は大半が塩化ビニルであり、カード製造時に加える温度は１１０℃〜１４０℃と比較的高い。したがって、枠部材２，３に用いる樹脂としてもそれより融点が高いことが重要である。しかしながら、単に融点が高いだけでは集電体６，７との接着性が問題となるし、融点が高いと電池製造時のシール工程で電解液等に熱の影響が及ぶ可能性もある。したがって、枠部材２，３に用いる樹脂は、融点が１１０℃以上２００℃以下（好適には１４０℃以上２００℃以下）であることが望ましい。たとえば、酸変性ポリプロピレン（融点約１６０℃）は、こうした条件を満足するので好適である。なお、枠部材２，３としては、ポリプロピレン、ポリエチレンテレフタラート等の熱可塑性樹脂で構成された基材の両面または片面に、酸変性ポリプロピレン（ＰＰ−ａ）からなる樹脂接着剤層を設けた複数層構造の樹脂シートを使用することもできる。
【００１７】
図２に示すごとく、正極側枠部材２と負極側枠部材３の合計厚さは、正極活物質層４、セパレータ９および負極活物質層５の合計厚さよりも大である。これにより、正極側が台地状に隆起した構造ではなく、電池本体部１４の主表面を凹面とすることができる。正極側枠部材２の厚さと負極側枠部材３の厚さは等しくすることができる。また、ＩＳＯ規格（ＩＳＯ／ＩＥＣ  ７８１０）のＩＣカード用途である場合には、リチウム一次電池１Ａの厚さは、シール部１１において、たとえば２００μｍ以上５００μｍ以下とすることができる。なお、“主表面”とは、面積が最も大きい面のことである。
【００１８】
正極活物質層４は、たとえば６０質量％以上７０質量％以下の正極活物質と、１質量％以上５質量％以下の導電助剤と、２５質量％以上３５質量％以下の電解液とを含む正極合材で構成される。正極活物質としては、ＭｎＯ２などリチウムと複合酸化物を形成する遷移金属酸化物の粉末を使用できる。導電助剤には、アセチレンブラック等のカーボン材料を使用できる。電解液としては、ジメトキシエタン（ＤＭＥ）、エチレンカーボネート（ＥＣ）、プロピレンカーボネート（ＰＣ）などの有機溶媒にリチウム塩を溶解させたものを使用できる。
【００１９】
負極活物質層５はリチウム箔で構成されている。リチウム箔の代わりにリチウム合金箔（たとえばリチウム−アルミニウム合金）を使用することも可能である。負極活物質層５であるリチウム箔の厚さは、ＩＳＯ規格のＩＣカード用にリチウム一次電池１Ａを設計する場合、たとえば３０μｍ以上１５０μｍ以下に調整することができる。正極活物質層４と負極活物質層５の各質量は、正極の電池容量が負極の電池容量よりも大となるように調整されている。これにより、完全放電後に負極活物質層５をなすリチウム箔が残存しないようにしている。
【００２０】
集電体６，７とリード端子６ｔ，７ｔの材質としては、銅、銅合金、ステンレス鋼、アルミニウム、アルミニウム合金、ニッケルおよびニッケル合金からなる良導性金属群から選択される１種を好適に使用することができる。とりわけ、ステンレス鋼は加工性、耐食性、経済性に優れるので好適である。長期の安定性を得るには、集電体の構成材料が電池内部に溶出しないことが重要である。この点について、ステンレス鋼には分がある。具体的には、オーステナイト系ステンレス鋼として代表的なＳＵＳ３０１、ＳＵＳ３０４、ＳＵＳ３１６、ＳＵＳ３１６Ｌや、析出硬化系ステンレス鋼として代表的なＳＵＳ６３１は、バネ性にも優れるのでその採用が推奨される。
【００２１】
セパレータ９は、正極と負極を隔離し且つ電解液が充分浸透する薄い膜であり、多孔質、多層構造を持つ。具体的には、ポリエチレンやポリプロピレンなどの樹脂からなる不織布が利用できる。本実施形態では、ポリエチレン製の多孔質シートをセパレータ９に採用している。また、セパレータ９の厚さは、たとえば１０μｍ以上６０μｍ以下とすることができる。
【００２２】
次に、リチウム一次電池１Ａの製造方法について説明する。
図６は、リチウム一次電池１Ａの製造工程説明図である。まず、適切な大きさに成形した負極集電体７を枠部材３の一方の開口を塞ぐ位置に配置し、超音波または加熱により負極側枠部材３を溶融および固化させて、負極集電体７を負極側枠部材３に固定する（６−１）。こうして、負極側枠部材３と負極集電体７とを組付けたケース１３を得る。次に、ケース１３内に負極活物質であるリチウム箔５を収容させる。さらに、リチウム箔５を覆うようにして負極側枠部材３にセパレータ９を載せる。セパレータ９は、周縁部９ｋが負極側枠部材３の内周部分に掛かるように位置合わせして負極側枠部材３に接着する（６−２）。
【００２３】
次に、セパレータ９の上に予めフィルム状に成形した正極合材を配置し、正極活物質層４を形成する（６−３）。必要な電解液は、正極集電体６を配置する前に含浸させればよい。もちろん、フィルム状の正極合材の代わりに、ペースト状の正極合材を印刷することもできる。正極活物質層４を形成した後、前もって作製しておいた正極側のケース１２を正極活物質層４に被せる（６−４）。ケース１２は、正極側枠部材２に正極集電体６を組付けた（固定した）部品である。そして、吸引圧力を−０．０６ＭＰａ以上とした真空チャンバ内で正極側枠部材２と負極側枠部材３を溶融および固化させて、両者を互いに接着する。これにより、本発明のリチウム一次電池１Ａが得られる（６−５）。なお、上記の組立工程に供する各部品の厚さは、セパレータ９、正極活物質層４および負極活物質層５の合計厚さが、電池組立後の正極側枠部材２と負極側枠部材３の合計厚さよりも小さくなるように調整する。
【００２４】
（第二実施形態）
図５は、本発明にかかるリチウム一次電池の第二実施形態の断面模式図である。リチウム一次電池１Ｂは、正極集電体６と正極側枠部材２との間にスペーサ１６を配置した点において、図２の実施形態と相違する。後の構成は、同符号にて示すように図２に実施形態と共通である。スペーサ１６は、枠部材２，３と同様の枠状の形態を有する樹脂シートであるが、枠部材２，３よりも融点が高い樹脂（たとえばＰＥＴ：融点約２６０℃）を用いている。そのため、シール部１１の形成時にも溶融したりせず、シール部１１の厚さを嵩上げする役割を果たす。また、スペーサ１６は図５の断面において正極側枠部材２よりも小幅であり、正極枠部材２の開口を取り囲む位置に配置されている。したがって、正極集電体６はスペーサ１６を乗り越えたところで正極側枠部材２に接着されている。このような構成によれば、電池本体部１４の主表面６ｐを凹みが大きい凹面とすることができる。そして、スペーサ１６の位置で圧力を受け止めることができるため、電池本体部１４に圧力が集中することを防止できる。なお、スペーサ１６は、負極側枠部材３の開口を取り囲む位置であって、負極集電体５と負極側枠部材３との間に配置してもよい。また、正極側と負極側との両方に配置することもできる。
【００２５】
（第三実施形態）
図７は、本発明にかかるリチウム一次電池の第三実施形態の断面模式図である。リチウム一次電池１Ｃは、電池本体部２４の正極側の主表面２６ｐと負極側の主表面２７ｐとの両方が凹面になっている点、負極側枠部材２３の厚さと正極側枠部材２２の厚さとを相違させたシール部２１を備える点について、先の実施形態と相違する。シール部２１の厚さが電池本体部２４の厚さ以上に調整されている点、シール部２１の２つの主表面２６ｇ，２７ｇはいずれも平坦である点、活物質充填室２０にセパレータ９、正極活物質層４および負極活物質層５を配置している点、正極集電体２６および負極集電体２７が外装材に兼用されている点などは先の実施形態と共通である。
【００２６】
シール部２１の厚さを電池本体部２４の厚さよりも大きくするためには、正極側枠部材２２と負極側枠部材２３の合計厚さを、セパレータ９、正極活物質層４および負極活物質層５の合計厚さよりも大とすることが有効である。併せて、正極側枠部材２２の厚さが大、負極側枠部材２３の厚さが小となるようにする。たとえば、電池組立前における正極側枠部材２２の厚さをＤ３、負極側枠部材２３の厚さをＤ４としたとき、１／４≦Ｄ４／Ｄ３≦１／２を満足するように調整する。そして、図８に示すごとく正極側枠部材２２と負極側枠部材２３とを接着するシール工程で、薄い負極側枠部材２３の方にのみ超音波溶着治具２９（または熱溶着治具）を接触させる。このようにすれば、図２および図６で説明した実施形態のように同じ厚さの枠部材２，３同士を用いる場合に比べて、正極側枠部材２２と負極側枠部材２３との境界近傍に超音波溶着治具２９のエネルギーが伝達しやすい。そのため、両者の境界近傍を素早く溶融・固化させることができ、ひいては正極側枠部材２２および負極側枠部材２３が過度に潰れてしまうことを阻止することができる。この結果、比較的容易にシール部２１の厚さを電池本体部２４の厚さよりも大きくすることが可能となる。
【００２７】
また、熱溶着治具を上下に配置して図８のシール工程を行なうようにすれば、厚さの等しい一対の枠部材を使用しても大差ないと考えられる。ただし、図８のシール工程は真空雰囲気で行なう必要があるので製造装置の大幅な改良が必要となり、却ってコスト高である。また、リチウム一次電池１Ｃにおいては、負極活物質層５を構成するリチウム箔は正極活物質層４に比べて薄い。したがって、同じ厚さの枠部材２，３を用いると図２に示す実施形態のようにセパレータ９が活物質充填室１０内で撓みを生ずる。一方、負極側枠部材２３の厚さを小とすることにより、セパレータ９の撓みを小さくすることができる。このような構造によれば、リチウム一次電池１Ｃの耐屈曲性の向上が期待できる。
【００２８】
より好適には、正極側枠部材２２の厚さＤ３と負極側枠部材２３の厚さＤ４との比率が、正極活物質層４の厚さと負極活物質層５の厚さとの比率に略等しくなるように設定することである。なお、本実施形態ではセパレータ９を負極側枠部材２３に固定することとしているが、厚い方の枠部材である正極側枠部材２２に固定する構造を採用してもよい。ただし、薄い方の枠部材である負極側枠部材２３の開口周縁部２３ａにセパレータ９を固定し、図８に示す要領でシール工程を行なうようにすれば、セパレータ９を固定している開口周縁部２３ａが熱の影響で変形したとしても負極側枠部材２３自体が薄いのでその変形量は小さく済む。この結果、より平坦な仕上がりのシール部２１を形成することができる。
【００２９】
（第四実施形態）
図９は、本発明にかかる薄型電池をリチウムイオン二次電池として構成した例を示す断面図である。リチウムイオン二次電池１Ｄは、発電要素であるセル３２をラミネート外装材４１，４２で包装してなる電池本体部４４と、その電池本体部４４の活物質充填室３０の気密を保持するシール部３１とを備えている。セル３２は、セパレータ３９の一方の面側に正極４８、他方の面側に負極４９を配置した構造を有する。正極４８は正極活物質層３４と正極集電体３６、負極４９は負極活物質層３５と負極集電体３７で構成されている。
【００３０】
正極活物質層３４は、ＬｉＣｏＯ２などのリチウム複合酸化物と、ＰＶＤＦとＨＦＰの共重合体などのフッ素樹脂からなるバインダと、導電性カーボンなどの導電助剤と、ＬｉＰＦ６などのリチウム塩をエチレンカーボネートなどの有機溶媒に溶解させた非水電解液とを含有する。負極活物質層３５は、メソフューズカーボン材などの黒鉛系炭素材料と、導電助剤と、非水電解液とを含有する。セパレータ３９は、ポリエチレンやポリプロピレンなどの絶縁性樹脂の微多孔膜である。正極集電体３６は、ＡｌまたはＡｌ合金からなる箔または金属メッシュである。負極集電体３７は、ＣｕまたはＣｕ合金からなる箔または金属メッシュである。ラミネート外装材４１，４２は、アルミニウム箔などの金属箔の両面に樹脂フィルムを貼りつけた金属−樹脂複合フィルムである。
【００３１】
図９に示すごとく、リチウムイオン二次電池１Ｄは、シール部３１の厚さが電池本体部４４の厚さよりも大であるとともに、電池本体部４４の両主表面４１ｐ，４２ｐが凹面となっている。ラミネート外装材４１，４２は、もともとポリプロピレンなどの熱融着性を有する樹脂層を持っているが、シール部３１の厚みを確保するために、一方のラミネート外装材４１と他方のラミネート外装材４２との間に枠状のシール材３３を挟み、これら三者を互いに接着する。このようにすれば、ラミネート外装材４１，４２の樹脂層を部分的に分増しすることになるから、シール部３１の厚さを電池本体部４４の厚さよりも大とすることができる。
【図面の簡単な説明】
【００３２】
【図１】本発明にかかるリチウム一次電池の斜視図。
【図２】図１中のＡ−Ａ断面図。
【図３】シール部の厚さと電池本体部の厚さとの関係を説明する模式図。
【図４】ＩＣカード製造時の作用説明図。
【図５】第二実施形態のリチウム一次電池の断面図。
【図６】図１のリチウム一次電池の組立手順を示す工程説明図。
【図７】第三実施形態のリチウム一次電池の断面図。
【図８】シール工程を説明する図。
【図９】第四実施形態のリチウムイオン二次電池の断面図。
【図１０】ＩＣカードの製造手順を説明するための分解斜視図。
【図１】
2006269288.tif 000003
【図２】
2006269288.tif 000004
【図３】
2006269288.tif 000005
【図４】
2006269288.tif 000006
【図５】
2006269288.tif 000007
【図６】
2006269288.tif 000008
【図７】
2006269288.tif 000009
【図８】
2006269288.tif 000010
【図９】
2006269288.tif 000011
【図１０】
2006269288.tif 000012